(57)【特許請求の範囲】
【請求項１】
夫々は先部にアンテナ取付部を備えると共に元部に支持杆取付部を備えている複数のアームと、それらのアームの支持杆取付部と支持杆を結合する為の結合具とから成るアンテナ支持具において、上記結合具は、支持杆に対する連結部を有する本体と、夫々上記本体から側方に延び、各々は上記支持杆取付部における乗載面を乗せる為の受面を備えている複数の受部材とから成り、上記受部材における受面の両横には上記支持杆取付部の両側部をガイドする為のガイド片を備えさせ、上記本体には、上記受面に上記支持杆取付部を乗せた状態においてその支持杆取付部における端部の上面と対峙してその浮き上がりを阻止する為の浮上阻止片を備えさせて、上記受面に上記支持杆取付部を乗せ、その支持杆取付部を、その両側部を上記ガイド片によりガイドした状態で受面に沿ってずらすことにより、支持杆取付部の端部が上記浮上阻止片の下に入り込んで、支持杆取付部が受部材に仮止めされるようにしたことを特徴とするアンテナ支持具。
【発明の詳細な説明】
【０００１】
【発明の属する技術分野】
本発明は複数のアンテナを支持する為のアンテナ支持具に関する。
【０００２】
【従来の技術】
夫々先部にアンテナ取付部を備えている２本のアームは、その元部に支柱に対する添え片を備えている。各アームの添え片を支柱の一方側と他方側とに夫々沿わせる。そして一方の添え片、支柱、他方の添え片の順にボルトを差し通し、ナットで締め付けることにより、２本のアームを支柱に固定するようにしている（例えば実開昭５２−１６６４３８号公報参照）。
【０００３】
このようなものは、二つのアンテナを設置しようとする場合、アンテナ支持用の上記２本のアームを支柱の両側に対称的に取り付けることが出来るので、それらの先部に取り付けるアンテナ相互の位置関係が一定に定まる特長がある。
【０００４】
【発明が解決しようとする課題】
しかしこの従来のアンテナ支持具では、上記取り付け作業の場合、上記２本のアームを夫々手で持ち、夫々のアームにおける添え片を支柱の両側に沿わせる。そしてその状態を保持したまま、上記ボルトを差し通してナット締めを行わねばならぬ。これらの作業を一人で行うことは困難で、複数人の作業員を必要とする問題点があった。又上記アームの保持の為に作業員に不安定な姿勢を強いる為、特に高所での取り付け作業の場合には非常に危険であるという問題点があった。
【０００５】
本願発明のアンテナ支持具は上記従来技術の問題点を解決する為に提供するものである。
本願発明の目的は、アンテナ支持用の複数のアームを備えていて、複数のアンテナを所定の位置関係に設置することが出来るアンテナ支持具を提供することである。
他の目的は、上記複数のアームの取り付け作業を一人の作業員で行うことを可能に出来るようにすることである。
他の目的は、複数のアームの夫々について個別に仮止めが出来るようにすることによって、高所での取り付け作業であってもそれを安全に行い得るようにすることである。
他の目的は、アームにおける支持杆取付部を受部材の受面に乗せ、ガイド片をガイドにしてその支持杆取付部をちょっとずらすだけの簡単な操作でもって、アームを確実に仮止め状態にできるようにすることである。
他の目的及び利点は図面及びそれに関連した以下の説明により容易に明らかになるであろう。
【０００６】
【課題を解決するための手段】
上記目的を達成する為に、本願発明におけるアンテナ支持具は、夫々は先部にアンテナ取付部を備えると共に元部に支持杆取付部を備えている複数のアームと、それらのアームの支持杆取付部と支持杆を結合する為の結合具とから成るアンテナ支持具において、上記結合具は、支持杆に対する連結部を有する本体と、夫々上記本体から側方に延び、各々は上記支持杆取付部における乗載面を乗せる為の受面を備えている複数の受部材とから成り、上記受部材における受面の両横には上記支持杆取付部の両側部をガイドする為のガイド片を備えさせ、上記本体には、上記受面に上記支持杆取付部を乗せた状態においてその支持杆取付部における端部の上面と対峙してその浮き上がりを阻止する為の浮上阻止片を備えさせて、上記受面に上記支持杆取付部を乗せ、その支持杆取付部を、その両側部を上記ガイド片によりガイドした状態で受面に沿ってずらすことにより、支持杆取付部の端部が上記浮上阻止片の下に入り込んで、支持杆取付部が受部材に仮止めされるようにしたものである。
【０００７】
【発明の実施の形態】
以下本願発明の実施の形態を示す図面について説明する。アンテナの設置状態を示す図１において、Ａは支持杆で、アンテナを支持する為のベースとなる部材であり、支柱（マストとも呼ばれる）を例示する。Ｂは複数のアンテナを所定の位置関係に支持する為のアンテナ支持具、Ｃは上記支持具Ｂによって支持されたアンテナを夫々示す。支持杆Ａは、アンテナの設置状態において人の頭が支持具ＢやアンテナＣに当ったりすることがないように出来る高さが選ばれ、例えば１．８ｍ或いはそれ以上の高さであったり、ビルの側壁１ａから側方に突出するアームであったりする。１はアンテナの設置場所として例示する建物の屋上の床面、２はそこに備えた基礎で、コンクリート製の台を示す。３は支柱Ａの下端に備えたベース、４はベース３を上記台２に取付ける為のボルトを示す。
【０００８】
次にアンテナ支持具Ｂは、その流通過程や設置の為の運搬時の嵩張りを小さくする為に、相互に別体となった複数のアームＢ１と結合具Ｂ２とにより構成している。複数のアームＢ１は夫々アンテナＣを相互に離間させた状態で支える為のもので、その離間の為の長さ例えば６０ｃｍを有するものであり、結合具Ｂ２はそれらのアームＢ１を支柱Ａに結合させる為のものである。各アームＢ１におけるＢ１１はアンテナの取付を行う為のアンテナ取付部を示し、Ｂ１２は支持杆に対する取付を行う為の支持杆取付部を示す。これらは上記のようにアンテナＣを相互に離間させる為に、アームＢ１の一方の端部と他方の端部に夫々設けている。支持杆取付部Ｂ１２はアームＢ１の支持の根本側となる為、後者の端部を元部とも呼び、前者の端部を先部とも呼ぶ。上記アームＢ１は軽量化及びアンテナＣの重量に耐える為に例えばアルミのパイプで形成している。Ｂ２１は結合具Ｂ２におけるベースとなる本体、Ｂ２２は各アームＢ１の支持杆取付部Ｂ１２を取り付ける為の受部材を夫々示す。受部材Ｂ２２はアームＢ１を横臥状態に支持できるようにする為に本体Ｂ２１から側方に延びる状態に設けている。符号Ｂ２２’が本体Ｂ２１に対する受部材Ｂ２２の付け根を示す。又受部材Ｂ２２は、複数（この例では四つ）のアームＢ１を相互に等角度間隔（この例では９０゜）の位置関係で固定する為に、四つの受部材Ｂ２２を相互に等角度間隔（この例では９０゜）の位置関係で備えさせている。これら本体Ｂ２１及び受部材Ｂ２２は、製造の手間数を少なくする為に例えばアルミダイカストで一体に形成した例を示すが、別体に形成し、後の工程で一体化しても良い。
【０００９】
上記本体Ｂ２１について図２に基づき説明する。６は支持杆Ａに対するしっかりとした固定を行う為の連結部で、例えばパラボラアンテナの支持具において周知の支柱取付部の構造を例示する。即ち、７は支柱の差込孔、８は差込孔の周壁の一部に穿設したねじ孔、９はねじ孔８に螺合させた固定用のボルトである。１０は避雷針の取付のためのねじ孔、１１は避雷針の不使用時に上記ねじ孔１０を塞いでおくための栓である。図３における１２は、アームＢ１における支持杆取付部Ｂ１２を位置決する為の受止面を示し、アームＢ１の端面の受止の為に上記付け根Ｂ２２’から後述の受面１６とは交差する状態（例えば垂直）に立ち上がる面に形成している。１３はアームＢ１を仮止めする際にその浮上を阻止する為の浮上阻止片で、後述の受面１６に沿って移動される支持杆取付部Ｂ１２の端部が該浮上阻止片１３の下に入り込むことを可能にする為に、受面１６からアームＢ１の高さ寸法に等しい寸法だけ隔てた位置に設けている。
【００１０】
上記受部材Ｂ２２について図３及び図４に基づき説明する。１６はアームＢ１の支持杆取付部Ｂ１２をその取付の為に乗せる受面で、アームＢ１をぐらつくことなく固定できるようにする為に平坦面に形成している。１７はアームを固着する為のねじ孔である。１８はアームＢ１における支持杆取付部Ｂ１２をガイドする為のガイド片で、受面１６上に乗せられた状態の支持杆取付部Ｂ１２の両側をガイドする為に受面１６の両横において夫々受面１６から上方に立ち上がる状態に設けている。両ガイド片１８相互の間隔は支持杆取付部Ｂ１２を実質的にがたつき無くガイドできるようにアームＢ１の幅寸法に対応させてある。２０は受部材Ｂ２２の補強部材を示す。
【００１１】
上記アームＢ１における支持杆取付部Ｂ１２について図３乃至図５に基づき説明する。２４は受部材Ｂ２２の受面１６に乗せることによりその受面１６と重合状態となる乗載面を示し、受面１６に対応した面であるところの平坦面に形成している。２５は前記受止面１２と対峙させるようにした面であり、アームＢ１の元部側の端面をもって該対峙面としている。２６は上記ガイド片１８によるガイドを受ける為に支持杆取付部Ｂ１２の両横に備えた被ガイド部で、この例ではアームＢ１に何等の加工も要することの無いように支持杆取付部Ｂ１２における側面の下部部分そのものをもって該被ガイド部２６としてある。２８は上記浮上阻止片１３による係止を受ける為に支持杆取付部Ｂ１２の端部の上面に備えた被係止部を示し、上記被ガイド部と同様の目的で上記端部の上面そのものをもって該被係止部２８としてある。２７はボルト貫通用の透孔、２９は支持杆取付部Ｂ１２を受部材Ｂ２２に固定するためのボルトを夫々示す。上記端面２５と透孔２７との間隔は、後述の如き仮止め状態において透孔２７とねじ孔１７とがぴったりと重合状態となるようにする為に、受止面１２とねじ孔１７との間隔と一致させてある。
【００１２】
図４乃至図６に示す３１はボルト２９の締付力によって支持杆取付部Ｂ１２が潰れることを防止する為のスペーサで、支持杆取付部Ｂ１２の内部においてその上壁Ｂ１２ａと下壁Ｂ１２ｂとの間に介在させている。該スペーサ３１は硬質の合成樹脂製である。該スペーサ３１は上壁Ｂ１２ａと下壁Ｂ１２ｂとの間のつっかい棒として作用し、ボルト２９によって受部材Ｂ２２に支持杆取付部Ｂ１２を固定する場合に、上壁Ｂ１２ａ、スペーサ３１、下壁Ｂ１２ｂを一つの剛体として機能させる。従ってボルト２９を締めてもそのボルト頭２９ａによって支持杆取付部Ｂ１２の上壁Ｂ１２ａが潰されることはない。又ボルト２９の締付力を、支持杆取付部Ｂ１２を受部材Ｂ２２に固定する目的に充分に機能させることが出来る。尚３２はボルト２９の軸部２９ｂを貫通させる為の透孔である。３３はボルト２９がアームＢ１の透孔２７から抜け落ちることを防止する為の手段を示し、この例では、透孔３２の内周面がボルト２９の軸部２９ｂにおけるねじ山の先端に圧接することによってボルト２９の抜け落ちを防止するようにしている。３４はスペーサ３１の弾性変形、即ち上記内周面３３をボルト２９に圧接させる為の弾性変形を容易化する為に設けたスリットを示す。
【００１３】
上記支持杆取付部Ｂ１２は、アンテナの設置現場での作業を容易化する為に、メーカーでの製造の際に次のような状態まで組み立てておかれる。即ち、図６の状態からスペーサ３１をアームＢ１の内部に押し込む。ボルト２９は、その軸部２９ｂを上壁Ｂ１２ａの透孔２７を通して透孔３２内に圧入し、軸部２９ｂが下壁Ｂ１２ｂの透孔２７から突出せぬ位置まで差し込む。この状態まで組立が行われる。
【００１４】
図１に示す３８はアンテナ取付部Ｂ１１に備えたアンテナ取付具である。次にアンテナＣは、例えば携帯電話用の電波の送受信を行うためのアンテナを示す。重量は例えば１ｋｇ程度である。該アンテナＣとしてはその他に、無線通信用、アマチュア無線用のアンテナなどがある。３９は信号伝送用のケーブルである。
【００１５】
次にアンテナ設置場所１でのアンテナＣの設置を説明する。設置場所１には予め台２が用意されている。アンテナの設置に当たっては、先ずそこに支柱Ａを固定する。固定状態は略鉛直である。次に結合具Ｂ２をその支柱Ａの先端に図２の如く取付ける。このとき支柱Ａを中心に結合具Ｂ２を回して、その受部材Ｂ２２が適正な方向に来るようにする。又この状態では受面１６は略水平となる。次に各アンテナＣに夫々ケーブル３９を接続し、それらのアンテナＣを各アームＢ１のアンテナ取付部Ｂ１１に夫々アンテナ取付具３８でもって取付ける。
【００１６】
次に上記結合具Ｂ２に対して、上記の各アームＢ１を夫々取付ける。その取付は以下の通りである。一つのアームＢ１を手に持ち、図７に示すように乗載面２４を一つの受部材Ｂ２２における受面１６に乗せる。この状態では支持杆取付部Ｂ１２における被ガイド部２６の両横に受部材Ｂ２２のガイド片１８が夫々位置する。次にそのアームＢ１を、両横のガイド片１８でもって案内しながら受面１６に沿って本体Ｂ２１に向けてずらす。端面２５が受止面１２に当接するに至ると、図４の如く支持杆取付部Ｂ１２の端部の被係止部２８が浮上阻止片１３の下に入り込み、浮上阻止片１３は被係止部２８と対峙する状態となる。
【００１７】
上記のように被係止部２８が浮上阻止片１３の下に入り込むと、受部材Ｂ２２に対してアームＢ１は仮止め状態となる。即ちアームＢ１を外から支える必要なく結合具Ｂ２に対するアームＢ１の結合状態を一時的に維持できる状態が達成される。その作用を説明する。アームＢ１における支持杆取付部Ｂ１２を上記のように受面１６に乗せた状態においては、アームＢ１はアンテナＣが取り付いている先部の側が重いため、アームＢ１から手を離すと、アームＢ１は先部の側が下がろうとし、反対に支持杆取付部Ｂ１２は受面１６の先端をてこの支点にしてが浮き上がろうとする。しかし上記被係止部２８の上に対峙する浮上阻止片１３がその支持杆取付部Ｂ１２の浮き上がりを阻止する。このようにしてアームＢ１が仮止め状態に保持される。
【００１８】
又上記のようにして仮止め状態にした場合、支持杆取付部Ｂ１２はその左右の両横が両ガイド片１８によって左右方向に位置規制され、又端面２５が受止面１２に当接して前後方向に位置規制されているので、受部材Ｂ２２に対して支持杆取付部Ｂ１２は正確に位置決され、下壁Ｂ１２ｂの透孔２７はねじ孔１７に対してぴったりと重合する状態となる。
【００１９】
上記仮止めの状態となったならば、次に受部材Ｂ２２に対し支持杆取付部Ｂ１２の本固定を行う。例えばボルト２９によって受部材Ｂ２２に対する支持杆取付部Ｂ１２の固定を行う。この場合、上記のように位置決がなされている為、ボルト２９の軸部２９ｂをスムーズにねじ孔１７に進入させることが出来る。又上記のようにアームＢ１の仮止めがなされている為、アームＢ１を手で支える必要が無い。従って作業者は、片手で支柱Ａにつかまるなどして自身の身体を支え、他方の手で上記ボルト２９の操作を行えば良く、作業を安全に行うことが出来る。
【００２０】
上記のような作業を複数のアームＢ１について全て行う。それが済んだならば図１に示されるようにバインド部材４１でもってケーブル３９を周知の如く固定することにより、アンテナＣの設置作業が完了する。
【００２１】
次に実施形態の異なる例を説明する。上記各アームＢ１の固定用のボルト２９は１本でも良い。その場合には、該ボルト２９によって支持杆取付部Ｂ１２を受部材Ｂ２２に固定した状態では、支持杆取付部Ｂ１２の両横に位置するガイド片１８が受部材Ｂ２２に対するアームＢ１の固定部材の一つとして機能し、ボルト２９を中心とするアームＢ１の回転を阻止する。
【００２２】
【発明の効果】
以上のように本願発明にあっては、複数のアンテナＣを設置する場合、アンテナ支持用の複数のアームＢ１における各支持杆取付部Ｂ１２を、結合具Ｂ２に備わっている複数の受部材Ｂ２２に夫々取付けることによって、それらのアームＢ１が一定の位置関係で配列され、それらのアームＢ１に夫々取付けるアンテナＣを所定の位置関係に配列できる特長がある。
しかも上記複数のアームＢ１の取付の場合、各アームＢ１は夫々の元部の支持杆取付部Ｂ１２を結合具Ｂ２における受部材Ｂ２２に夫々個別に取り付ければよいので、一つずつ取付を行いうる特長がある。このことは、上記取り付け作業を一人の作業員で行うことを可能に出来る効果がある。
しかも上記アームＢ１の取付の場合、受面１６にアームＢ１の支持杆取付部Ｂ１２における乗載面２４を乗せ、支持杆取付部Ｂ１２を受面１６に沿ってずらして支持杆取付部Ｂ１２の端部を浮上阻止片１３の下に差し込めば、アームＢ１を受部材Ｂ２２に仮止め状態に出来る特長がある。このことは、受部材Ｂ２２に対してアームＢ１の支持杆取付部Ｂ１２を本固定する場合、アームＢ１を別途支えたりする必要がないので、たとえ高所での取付であっても、その作業を安全に行うことを可能に出来る効果がある。
更に上記の如き仮止め状態にする為に支持杆取付部Ｂ１２の端部を浮上阻止片１３の下に差し込む場合、受面１６をガイド面として利用すると共に、その受面１６の両横にあるガイド片１８により支持杆取付部Ｂ１２を案内することにより、支持杆取付部Ｂ１２を確実に浮上阻止片１３の下に向けて進行させられる特長がある。このことは、上記受面１６及びガイド片１８に沿って支持杆取付部Ｂ１２をすうーっと移動させるのみの非常に容易な操作でもって、確実に上記仮止め状態を達成させることが出来る作業上の効果がある。
【図面の簡単な説明】
【図１】アンテナの設置状態を示す斜視図。
【図２】支柱に対する連結部を示す縦断面図。
【図３】受部材と支持杆取付部とを示す斜視図。
【図４】受部材に対する支持杆取付部の仮止め状態を示す縦断面図。
【図５】受部材に支持杆取付部を固定した状態を固定用ボルトの位置で切断して示す断面図。
【図６】支持杆取付部の分解斜視図。
【図７】受部材の受面の上に支持杆取付部を乗せた状態を示す一部破断図。
【符号の説明】
Ｂ１  アーム
Ｂ１１  アンテナ取付部
Ｂ１２  支持杆取付部
Ｂ２  結合具
Ｂ２１  本体
Ｂ２２  受部材
１６  受面
１３  浮上阻止片
１８  ガイド片
【図１】
0003604220.tif 000002
【図２】
0003604220.tif 000003
【図３】
0003604220.tif 000004
【図４】
0003604220.tif 000005
【図５】
0003604220.tif 000006
【図６】
0003604220.tif 000007
【図７】
0003604220.tif 000008